(57)【要約】      （修正有）【課題】複数の金属製ワイヤが連結された金属製ネットにおいて、網目が潰れずに正方形または長方形となるように、金属製ワイヤ同士を容易に連結可能な構成を実現する。【解決手段】金属製ネット１は、複数の金属製ワイヤ１１と、複数の金属製ワイヤ同士を連結する金属製の連結部材２１とを備える。複数の金属製ワイヤは、第１方向に延びるように配置された第１ワイヤ１２と、第１方向に直交する方向に延びるように配置された第２ワイヤ１３と、を有する。連結部材２１は、線状部材が螺旋状に巻かれた螺旋部を有する。螺旋部は、第１ワイヤ及び第２ワイヤの一部を覆いつつ連結するように、第１ワイヤ及び第２ワイヤに固定されている。【選択図】図１
0003212425.tif 000002
【実用新案登録請求の範囲】
【請求項１】
複数の金属製ワイヤと、
前記複数の金属製ワイヤ同士を連結する金属製の連結部材とを備え、
前記複数の金属製ワイヤは、
第１方向に延びるように配置された第１ワイヤと、
前記第１方向に直交する方向に延びるように配置された第２ワイヤと、
を有し、
前記連結部材は、線状部材が螺旋状に巻かれた螺旋部を有し、
前記螺旋部は、前記第１ワイヤ及び前記第２ワイヤの一部を覆いつつ連結するように、前記第１ワイヤ及び前記第２ワイヤに固定されている、金属製ネット。
【請求項２】
請求項１に記載の金属製ネットにおいて、
前記第１ワイヤ及び前記第２ワイヤは、それぞれ、一部が互いに平行に配置された平行部を有し、
前記螺旋部は、前記第１ワイヤ及び前記第２ワイヤにおける前記平行部の少なくとも一部を覆うように配置された状態で、前記平行部の少なくとも一部を連結するように、前記平行部の少なくとも一部に固定されている、金属製ネット。
【請求項３】
請求項１または２に記載の金属製ネットにおいて、
前記螺旋部は、前記第１ワイヤ及び前記第２ワイヤに対してかしめられている、金属製ネット。
【請求項４】
請求項１から３のいずれか一つに記載の金属製ネットを備えた防鳥ネット。
【考案の詳細な説明】
【技術分野】
【０００１】
本考案は、複数の金属製ワイヤを有する金属製ネットに関する。
【背景技術】
【０００２】
複数の金属製ワイヤを互いに連結することによって構成された金属製ネットが知られている。このような金属製ネットは、複数の金属製ワイヤが互いに交差するように配置された状態で連結されることにより、網状に形成されている。
【０００３】
金属製の網状の部材として、例えば、特許文献１には、複数の線材が相互に所定の間隔で平行に配置された網体が開示されている。具体的には、前記特許文献１の構成では、鉄またはステンレス等からなる複数の上下線材及び左右線材は、交差するように配置されるとともに、それらの交差点がスポット溶接等で連結されている。これにより、鳥が侵入できない程度の大きさの四角形状の網目を格子状に有する金網が構成される。
【先行技術文献】
【特許文献】
【０００４】
【特許文献１】特開２０１０−２７３５２４号公報
【考案の概要】
【考案が解決しようとする課題】
【０００５】
上述のような金網の場合には、線材同士の交差点をスポット溶接等によって連結可能である。しかしながら、近年では、金属製の線材よりも細く軽量で且つ丈夫な網体が要求されている。そのため、例えば、金属製の線材ではなく金属製ワイヤによって網体を構成することが考えられるが、このような金属製ワイヤの場合には、スポット溶接等によってワイヤ同士を連結することが難しい。
【０００６】
しかも、金属製ワイヤの場合には、金属製の線材に比べて細いため、剛性が弱い。よって、ワイヤ同士を連結した場合に、正方形や長方形などの網目ではなく、潰れた四角形状の網目になる可能性が高い。
【０００７】
本考案の目的は、複数の金属製ワイヤが連結された金属製ネットにおいて、網目が潰れずに正方形または長方形となるように、金属製ワイヤ同士を容易に連結可能な構成を実現することにある。
【課題を解決するための手段】
【０００８】
本考案の一実施形態に係る金属製ネットは、複数の金属製ワイヤと、前記複数の金属製ワイヤ同士を連結する金属製の連結部材とを備える。前記複数の金属製ワイヤは、第１方向に延びるように配置された第１ワイヤと、前記第１方向に直交する方向に延びるように配置された第２ワイヤと、を有する。前記連結部材は、線状部材が螺旋状に巻かれた螺旋部を有する。前記螺旋部は、前記第１ワイヤ及び前記第２ワイヤの一部を覆いつつ連結するように、前記第１ワイヤ及び前記第２ワイヤに固定されている（第１の構成）。
【０００９】
以上の構成のように、複数の金属製ワイヤのうち第１方向に延びるように配置された第１ワイヤと、前記第１方向に直交する方向に延びるように配置された第２ワイヤとを、線状部材が螺旋状に巻かれた螺旋部を有する連結部材によって連結することにより、金属製ワイヤ同士を容易に連結することができる。すなわち、前記連結部材の前記螺旋部は、スリーブなどの部材に比べて容易に塑性変形を生じる。そのため、例えば、前記第１ワイヤと前記第２ワイヤとを前記螺旋部によって覆った状態で該螺旋部を押しつぶすことにより、前記第１ワイヤと前記第２ワイヤとを前記連結部材によって容易に連結することができる。
【００１０】
しかも、前記連結部材の前記螺旋部は、スリーブなどの部材に比べて剛性が低いため、前記螺旋部によって連結された前記第１ワイヤと前記第２ワイヤとが、正方形または長方形の網目を形成する。これにより、ネットの網目が潰れることを防止でき、ネットを張る際の施工作業性を向上できる。
【００１１】
前記第１の構成において、前記第１ワイヤ及び前記第２ワイヤは、それぞれ、一部が互いに平行に配置された平行部を有する。前記螺旋部は、前記第１ワイヤ及び前記第２ワイヤにおける前記平行部の少なくとも一部を覆うように配置された状態で、前記平行部の少なくとも一部を連結するように、前記平行部の少なくとも一部に固定されている（第２の構成）。
【００１２】
これにより、螺旋部によって、第１ワイヤと第２ワイヤとをより確実に連結することができる。
【００１３】
前記第１または第２の構成において、前記螺旋部は、前記第１ワイヤ及び前記第２ワイヤに対してかしめられている（第３の構成）。これにより、第１ワイヤ及び第２ワイヤを螺旋部によって容易に連結することができる。
【考案の効果】
【００１４】
本考案の一実施形態に係る金属製ネットによれば、複数の金属製ワイヤにおける第１ワイヤ及び第２ワイヤを、互いに平行に配置された平行部を線状部材が螺旋状に巻かれた螺旋部によって連結する。これにより、第１ワイヤ及び第２ワイヤを容易に連結できるとともに、第１ワイヤ及び第２ワイヤによって、正方形または長方形の網目を形成することができる。
【図面の簡単な説明】
【００１５】
【図１】図１は、本考案の実施形態に係る金属製ネットの概略構成を示す図である。
【図２】図２は、連結金具によってワイヤ同士が連結される部分を拡大して示す図である。
【図３】図３は、連結金具の概略構成を示す斜視図である。
【図４】図４は、第２ワイヤを平行に配置した状態で、各第２ワイヤを複数の連結金具に挿通させた状態を示す図である。
【図５】図５は、第１ワイヤを、第２ワイヤに対して直交し且つ連結金具に挿通させた状態を示す図である。
【図６】図６は、連結金具を第１ワイヤ及び第２ワイヤに対してかしめた状態を示す図である。
【考案を実施するための形態】
【００１６】
以下、図面を参照し、本考案の実施の形態を詳しく説明する。なお、各図中の構成部材の寸法は、実際の構成部材の寸法及び各構成部材の寸法比率等を忠実に表したものではない。
【００１７】
図１は、本考案の実施形態に係る金属製ネット１の概略構成を示す図である。この金属製ネット１は、例えばステンレス製の複数の金属製ワイヤ１１を交差するように配置した状態で、交差部分を連結金具２１によって連結することによって構成されている。すなわち、本実施形態の金属製ネット１は、金属材料によって構成され、格子状の網目を有するネットである。金属製ネット１は、例えば防鳥ネットなどに用いられる。
【００１８】
複数の金属製ワイヤ１１は、第１方向に延びるように配置される第１ワイヤ１２と、前記第１方向に直交する第２方向に延びる第２ワイヤ１３とを含む。すなわち、第１ワイヤ１２と第２ワイヤ１３とは直交するように配置されている。なお、図１の例では、第１ワイヤ１２は、縦方向に延びるように配置され、第２ワイヤ１３は、横方向に延びるように配置されている。
【００１９】
第１ワイヤ１２及び第２ワイヤ１３は、それぞれ、ステンレス製のワイヤである。第１ワイヤ１２及び第２ワイヤ１３の線径は、例えば約０．７ｍｍである。なお、第１ワイヤ１２及び第２ワイヤ１３は、それぞれ、単一の線状部材によって構成されていてもよいし、複数の線状部材を撚り合わせることによって構成されていてもよい。
【００２０】
第１ワイヤ１２と第２ワイヤ１３とが交差する部分は、連結金具２１によって連結されている。すなわち、金属製ネット１は、第１ワイヤ１２と、第２ワイヤ１３と、連結金具２１とを備える。
【００２１】
連結金具２１は、図３に示すように、線状部材が螺旋状に巻かれた金属製（例えばステンレス製）の部材である。本実施形態では、連結金具２１は、線状部材が複数回（例えば５回）、巻かれることによって構成される。すなわち、連結金具２１は、螺旋部２１ａを有する。なお、連結金具２１は、螺旋部２１ａ以外の部分、例えば直線部等を有していてもよい。
【００２２】
連結金具２１は、図２に示すように、第１ワイヤ１２及び第２ワイヤ１３の交差する部分に対して、螺旋部２１ａがかしめられることによって、固定される。すなわち、連結金具２１を第１ワイヤ１２及び第２ワイヤ１３に対してかしめることにより、連結金具２１によって第１ワイヤ１２及び第２ワイヤ１３が連結される。
【００２３】
連結金具２１を上述のように線状部材が螺旋状に巻かれた金属製の部材とすることで、連結金具２１を容易に変形させることができる。これにより、後述するように、連結金具２１をかしめることによって、第１ワイヤ１２及び第２ワイヤ１３を容易に連結することができる。
【００２４】
第１ワイヤ１２及び第２ワイヤ１３は、それぞれ交差する部分に、平行部１２ａ，１３ａを有する。すなわち、第１ワイヤ１２と第２ワイヤ１３とは、交差する部分の一部が平行になるように、配置されている。連結金具２１は、平行部１２ａ，１３ａの一部を連結するように、平行部１２ａ，１３ａに取り付けられている。
【００２５】
上述のように、金属製ワイヤ１１を比較的細い金属線によって構成するとともに、連結金具２１を線状部材が螺旋状に巻かれた金属製の部材によって構成することにより、第１ワイヤ１２の平行部１２ａと第２ワイヤ１３の平行部１３ａとを連結金具２１によって連結した状態で、第１ワイヤ１２と第２ワイヤ１３とを互いに直交する方向に延びるように配置できる。
【００２６】
すなわち、上述の構成により、第１ワイヤ１２及び第２ワイヤ１３の平行部１２ａ，１３ａ以外の部分の柔軟性、及び、連結金具２１による連結部分の柔軟性を確保できるため、金属製ネット１に、正方形状または長方形状の網目を格子状に形成することができる。
【００２７】
したがって、本実施形態の構成により、網目が潰れずに正方形または長方形となるように、金属製ワイヤ同士を容易に連結可能な構成を実現することができる。
【００２８】
（金属製ネットの製造方法）
次に、金属製ネット１の製造方法について、図４から図６を用いて説明する。図４は、複数の第２ワイヤ１３を第１方向に平行に且つ第２方向に延びるように配置しつつ、各第２ワイヤ１３を複数の連結金具２１に挿通させた状態を示す図である。図５は、複数の第１ワイヤ１２を、第２ワイヤ１３に対して直交するように配置するとともに連結金具２１内に挿通させた状態を示す図である。図６は、連結金具２１を第１ワイヤ１２及び第２ワイヤ１３に対してかしめて固定した状態を示す図である。
【００２９】
まず、それぞれ所定の長さを有する第１ワイヤ１２及び第２ワイヤ１３を、複数、用意する。また、線状部材が螺旋状に巻かれた連結部材２１を複数、用意する。
【００３０】
図４に示すように、複数の第２ワイヤ１３を第１方向に平行に且つ第２方向に延びるように配置する。そして、各第２ワイヤ１３に対して、複数の連結金具２１を挿通させる。その後、図示しないが、各第２ワイヤ１３に張力が作用するように、各第２ワイヤ１３の両端を固定する。
【００３１】
図５に示すように、第２ワイヤ１３に対して直交するとともに連結部材２１を挿通するように、複数の第１ワイヤ１２を配置する。第１ワイヤ１２は、連結部材２１に挿通された状態で張力が作用するように、両端が固定される。これにより、第１ワイヤ１２及び第２ワイヤ１３によって、四角形状の網目が格子状に形成される。
【００３２】
図６に示すように、連結部材２１に白抜き矢印方向の力を加えて、連結部材２１を第１ワイヤ１２及び第２ワイヤ１３に対してかしめることにより、連結部材２１は、第１ワイヤ１２及び第２ワイヤ１３に固定される。すなわち、第１ワイヤ１２及び第２ワイヤ１３は、連結部材２１によって連結される。
【００３３】
このとき、連結部材２１は、第１ワイヤ１２及び第２ワイヤ１３のうち互いに平行な平行部１２ａ，１３ａに固定される。
【００３４】
以上により、正方形または長方形の網目が格子状に形成された図１に示す金属製ネット１が得られる。
【００３５】
（その他の実施形態）
以上、本考案の実施の形態を説明したが、上述した実施の形態は本考案を実施するための例示に過ぎない。よって、上述した実施の形態に限定されることなく、その趣旨を逸脱しない範囲内で上述した実施の形態を適宜変形して実施することが可能である。
【００３６】
前記実施形態では、連結部材２１は、線状部材を螺旋状に５回巻くことによって構成されている。しかしながら、連結部材は、線状部材が螺旋状に複数回、巻かれた構成であれば、線状部材が４回以下の回数で巻かれた構成であってもよいし、線状部材が６回以上の回数で巻かれた構成であってもよい。
【００３７】
前記実施形態では、金属製ネット１における複数の第１ワイヤ１２と複数の第２ワイヤ１３とは、直交するように配置されている。しかしながら、第１ワイヤ１２及び第２ワイヤ１３は、交差するように配置されていれば、直交していなくてもよい。
【００３８】
前記実施形態では、金属製ネット１は、第１ワイヤ１２及び第２ワイヤ１３を有する。しかしながら、金属製ネット１は、交差して配置される複数のワイヤを３本以上有していてもよい。この場合、複数のワイヤにおいてワイヤ同士が交差する部分を、連結金具によって連結すればよい。
【００３９】
前記実施形態では、第１ワイヤ１２及び第２ワイヤ１３は、それぞれ、平行部１２ａ，１３ａを有する。しかしながら、第１ワイヤ及び第２ワイヤは、平行部を有していなくてもよい。
【００４０】
前記実施形態では、連結部材２１は、第１ワイヤ１２及び第２ワイヤ１３に対して平行部１２ａ，１３ａの一部を覆うように固定されている。しかしながら、連結部材は、第１ワイヤ及び第２ワイヤに対して平行部全体を覆うように固定されていてもよい。
【００４１】
前記実施形態では、連結部材２１は、第１ワイヤ１２及び第２ワイヤ１３に対してかしめられている。しかしながら、連結部材は、第１ワイヤ及び第２ワイヤに対して、接着や溶着などの方法によって固定されていてもよい。すなわち、連結部材は、第１ワイヤ及び第２ワイヤを連結可能な方法であれば、第１ワイヤ及び第２ワイヤに対してどのような方法で固定されていてもよい。
【産業上の利用可能性】
【００４２】
本考案は、複数の金属製ワイヤを有する金属製ネットに利用可能である。
【符号の説明】
【００４３】
１  金属製ネット
１１  金属製ワイヤ
１２  第１ワイヤ
１２ａ  平行部
１３  第２ワイヤ
１３ａ  平行部
２１  連結金具
２１ａ  螺旋部
【図１】
0003212425.tif 000003
【図２】
0003212425.tif 000004
【図３】
0003212425.tif 000005
【図４】
0003212425.tif 000006
【図５】
0003212425.tif 000007
【図６】
0003212425.tif 000008